(57)【要約】【課題】  フロント部はワタリに取付けられて、必要に応じて上方へ跳ね上げることが出来る跳ね上げ式メガネフレームの提供。【解決手段】  ワタリ２には繋ぎ部材７が軸１５を介して回転出来るように連結され、繋ぎ部材７の先端にはフロント部１が軸１９を介して回転出来るように連結し、上記両軸１５，１９にはフロント部１を跳ね上げる方向にバネ力を付勢し、フロント部１が顔正面に位置したところで静止するように係止手段を設けている。【選択図】    図１
2019120819.tif 000002
【特許請求の範囲】
【請求項１】
フロント部はワタリに取付けられて、必要に応じて上方へ跳ね上げることが出来る跳ね上げ式メガネフレームにおいて、上記ワタリには繋ぎ部材が軸を介して回転出来るように連結され、繋ぎ部材の先端にはフロント部が軸を介して回転出来るように連結し、上記両軸にはフロント部を跳ね上げる方向にバネ力を付勢し、フロント部が顔正面に位置したところで静止するように係止手段を設けたことを特徴とする跳ね上げ式メガネフレーム。
【請求項２】
上記両軸にコイルバネを取付けた請求項１記載の跳ね上げ式メガネフレーム。
【請求項３】
上記ワタリの背面から脚を水平に延ばした水平部を有し、途中で屈曲して下方へ延ばした垂直部を有し、ワタリから背後へ繋ぎ部材が水平に延び、繋ぎ部材の先端からフロント部が下方へ延びて下がった状態にある場合、水平部と垂直部のコーナー部にフロント部中央に設けた連結部材を係止出来るようにした請求項１、又は請求項２記載の跳ね上げ式メガネフレーム。
【発明の詳細な説明】
【技術分野】
【０００１】
本発明はフロント部を跳ね上げることが出来る跳ね上げ式メガネフレームに関するものである。
【背景技術】
【０００２】
跳ね上げ式メガネフレームとはフロント部が上・下に開閉（上げ下ろし）するように構成したフレームである。この種のメガネフレームは従来から広く知られていて、例えば近視用メガネにサングラスを取付けて跳ね上げ式としたり、また老眼鏡を跳ね上げ式としたものが多用されている。
すなわちフロントフレームを二重構造として構成したものであり、表側のフロント部を跳ね上げ式としている。勿論、２重構造にすることなく、正面にフロント部だけを備えて必要に応じて上げ下ろしするように構成している跳ね上げ式メガネフレームも存在している。
【０００３】
跳ね上げ式メガネフレームと用途を共通したメガネに、前掛け式メガネフレームが知られているが、この型式のメガネフレームはフロント部を着脱可能としている。したがって、フロント部を別に携帯しなくてはならず不便である。また、該フロント部を装着したり、逆に取外したりする操作も面倒である。
そこで、前掛け式メガネフレームの上記問題点を解決したものが跳ね上げ式メガネフレームと言える。
【０００４】
ところで従来において、跳ね上げ式メガネフレームの跳ね上げ機構として、色々知られている。例えば、実用新案登録第３１２４３８０号に係る「眼鏡」は、丁番を使用した跳ね上げ眼鏡であり、正面から見られた場合のデザインをスッキリし、更に軽く簡単な構造にしている。
そこで、前面中間部にブリッジを有するフロントフレームと、少なくとも一枚以上のレンズを抱持し中間部に軸受け用穴部が設けられた一方のコマ部が形成された回動ブリッジを有するレンズフレームとが、前部が前記フロントフレームのブリッジ裏面側に眼鏡正面から見えない様に後方に水平に向く様に固着され、後部が他方のコマ部として前記レンズフレームの回動ブリッジの一方のコマ部凹部に嵌合されボルトにより螺着される連結小片を介し、相互に連結され、そして、前記レンズフレームが前方から上方に向い跳ね上げ可能として構成している。
しかし、この眼鏡のレンズフレーム（跳ね上げフロント部）の跳ね上げ機構では、ボルトのネジ部と頭部間で相対的な回転抵抗が発生する為に該ネジ部が弛み易く、その結果、レンズフレーム（跳ね上げフロント部）のガタ付きを生じる。
【０００５】
特開２００４−２７９５０２号に係る「眼鏡枠」は、副フレーム（跳ね上げフロント部）が本体フレームに対して簡単に、かつ確実に着脱でき、副フレームを本体フレームに対して回動させた際、副フレームが利用者の意図する任意の角度に適正に、かつ確実に維持することができ、さらに副フレームと本体フレームとの取り付け構造をできるだけ美観を有するものにした跳ね上げ式眼鏡である。
そこで、テンプル、テンプルとリムをつなぐヨロイ部、左右のリム、左右のリムをつなぐ枢軸状ブリッジから構成される本体フレームと、左右一対のレンズ、前記レンズを保持するリム、左右のレンズをつなぐ保持部材、および前記保持部材に固定される前記本体フレームの枢軸状ブリッジを枢軸として回動する弾性嵌合部材から構成される副フレームとから構成されている。
【０００６】
しかし、この眼鏡枠では、枢軸と弾性嵌合部材を精密な形状と寸法に仕上げる必要があり、そして長期間の使用に伴う摩耗により副フレーム（跳ね上げフロント部）の保持力が低下することで、跳ね上げが出来ないといった問題が発生する。
一方、従来の跳ね上げ式メガネフレームの場合、跳ね上げられるフロント部は、正面のフロントフレームとなるワタリに蝶番などを介して取付けられた構造であることから、フロント部を下ろした状態の顔正面との位置関係、及び上げた状態のフロント部の位置が好ましくない。
【０００７】
図６は従来の跳ね上げ式メガネフレームであり、フロント部（イ）が下りた状態と、上がった状態を示しているように、定まった１つの軸（ロ）を中心として旋回することで上げ下げするフロント部（イ）の顔正面からの位置が好ましくない。特に、跳ね上げられたフロント部（イ）は視界に入って障害になる。
【特許文献１】実用新案登録第３１２４３８０号に係る「眼鏡」
【特許文献２】特開２００４−２７９５０２号に係る「眼鏡枠」
【発明の開示】
【発明が解決しようとする課題】
【０００８】
このように、フロント部を跳ね上げることが出来る跳ね上げ式メガネフレームは色々存在している。本発明は従来とは全く異なる構造にて、上げ下げしたフロント部がガタ付くことなく安定し、しかも下がったフロント部を通して見易く、また跳ね上がったフロント部が視界に入ることのない跳ね上げ式メガネフレームを提供する。
【課題を解決するための手段】
【０００９】
本発明に係る跳ね上げ式メガネフレームは、跳ね上げることが出来るフロント部はフロントフレームと成るワタリに取付けられるが、該ワタリに設けた軸を介してフロント部を旋回可能とした構造ではない。
本発明ではワタリとフロント部との間に繋ぎ部材を介在していて、該繋ぎ部材の一方端をワタリの中央部に回転できるように連結し、また繋ぎ部材の他方端はフロント部の中央部に繋がれ、フロント部は回転出来るように連結されている。
【００１０】
ところで、上記繋ぎ部材の一方端はワタリに回転可能に連結しているが、バネ力が付勢してフロント部が跳ね上げられるように働いている。そして、繋ぎ部材の他方端にはフロント部が回転可能に連結しているが、バネ力が作用してフロント部が下がらないように付勢している。
そこで、フロント部が跳ね上げられた場合にはほぼ水平に保持され、上記繋ぎ部材もワタリの中央部から正面側へほぼ水平に延びている。
一方、フロント部を下ろす場合には、上記繋ぎ部材は回転して背後へほぼ水平に延び、フロント部は繋ぎ部材の他方端にて回転し、下方へ延びて顔の正面に近接する。
【００１１】
ところで、フロント部が跳ね上げられるように上記繋ぎ部材の両端にバネ力を付勢していることから、跳ね上がった状態のフロント部を下ろして顔の正面に近接して静止することが出来るように、フロント部はワタリから延びて先端に鼻当てパットを取付けている脚に係止することが出来る構造としている。
そこで、脚は細い線材で構成されてバネ性があり、ワタリ中央部から背後へほぼ水平に延び、途中で屈曲して下方へ延びてその先端に鼻当てパットを取付けている。
上記フロント部を下方へ下した場合、該フロント部の中央連結部材が脚の水平部と垂直部のコーナーに係止することが出来る。この場合、連結部材の背面が脚の垂直部に当接することで、フロント部は垂直部と同じ方向に垂下して保持される。
【発明の効果】
【００１２】
本発明に係る跳ね上げ式メガネフレームは、跳ね上げることが出来るフロント部を備えているが、該フロント部はワタリに繋ぎ部材を介して取付けられている。したがって、正面側へ跳ね上がられるフロント部は間に繋ぎ部材が介在していることで、顔から離れた位置にほぼ水平に保持される。よって、跳ね上がったフロント部は視界に入ることなく目障りになることはない。
【００１３】
そして、繋ぎ部材の両端にはバネが取付けられていて、該バネの力が付勢されていることで、下方に下されて鼻当てパットを取付けている脚に係止しているフロント部は、係止状態を解除するならば、繋ぎ部材に備わっているバネ力が付勢して独りでに跳ね上がることが出来る。
そして、下方へ下されたフロント部はワタリから背後へ延びて顔正面に近接状態で配置される。したがって、フロント部を通して見易状態と成る。
【図面の簡単な説明】
【００１４】
【図１】本発明に係る跳ね上げ式メガネフレームで、（ａ）は平面図、（ｂ）は正面図、（ｃ）は側面図を表している。
【図２】本発明の跳ね上げ式メガネフレームを構成する繋ぎ部材を表している。
【図３】ワタリに繋ぎ部材を連結し、該繋ぎ部材にフロント部が連結している状態の底面図。
【図４】フロント部が押し下げられて跳ね上がらないように係止する手段を示す具体例。
【図５】フロント部を跳ね上げた場合の一部側面図。
【図６】従来の跳ね上げ式メガネフレーム。
【発明を実施するための形態】
【００１５】
図１は本発明に係る跳ね上げ式メガネフレームを示す実施例であり、（ａ）は平面図、（ｂ）は正面図、（ｃ）は側面図をそれぞれ表している。
同図の１はフロント部、２はワタリ、３，３はツルを表している。上記ワタリ２は滑らかな凸状に湾曲し、両先端には蝶番４，４を介してツル３，３が折畳み出来るように取付けられている。
ワタリ２の中央部に設けた脚５，５は背後に延び、脚５，５の先端には鼻当てパット６，６が取付けられている。
【００１６】
ところで、上記ワタリ２にはフロント部１が取付けられるが、しかもワタリ２の中央部には繋ぎ部材７が回転出来るように連結し、該繋ぎ部材７の先端には上記フロント部１が回転出来るように連結している。上記両脚５，５は繋ぎ部材７を挟んで取付けられ、該脚５，５はワタリ２の背後へほぼ水平に延び、途中で屈曲して下方へ垂直に延びている。さらに湾曲して先端には箱足８，８がロウ付けされ、この箱足８，８に鼻当てパット６，６が取付けられている。
【００１７】
上記繋ぎ部材７は長方形板を形成し、基板の両先端に軸受けを設けている。図２は繋ぎ部材７の底面を示す具体例であり、所定の厚さを有す長方形の基板１１の四隅には軸受け９，９，１０，１０が起立している。一方端には所定の間隔をおいて両軸受け９，９を対にして設け、他方端には同じく所定の間隔をおいて両軸受け１０，１０を対にして設けている。そして、軸受け９，９には軸穴２５，２５が貫通し、軸受け１０，１０には軸穴１２，１２が貫通している。
【００１８】
ところで、該繋ぎ部材７はワタリ２の中央部背面に取付けられ、該繋ぎ部材７にはフロント部１が取付けられる。
図３は繋ぎ部材７の一方端がワタリ２に連結し、他方端がフロント部１に連結している場合の底面を表している具体例である。
このように、本発明の跳ね上げ式メガネフレームは、跳ね上げられるフロント部１がワタリ２に直接連結することなく、繋ぎ部材７が間に介在した連結構造としている。
【００１９】
ワタリ２の背面１３には対を成す２個の軸受け１４，１４が背面側へ突出し、該軸受け１４，１４は繋ぎ部材７の一方端に設けた両軸受け９，９の間に位置合わせして嵌り、軸穴２５，２５に挿入した軸１５は上記軸受け１４，１４の軸穴を貫通する。したがって、ワタリ２の軸受け１４，１４には軸１５を中心として繋ぎ部材７が回転出来るように連結することが出来る。そして、軸１５にはコイルバネ１６が取付けられ、その為に繋ぎ部材７が回転するならば該コイルバネ１６は捩られるように軸受け１４と軸１５にその両端が止着されている。
そこで、該コイルバネ１６はフロント部１が跳ね上げられる方向にバネ力が付勢するように捩られている。
【００２０】
図３は前記図１（ａ）の底面の一部拡大図を示している。すなわち、フロント部１が下方へ下されている状態での繋ぎ部材７の底面拡大図を表している場合であり、跳ね上げる場合には繋ぎ部材７は軸１５を中心として紙面に対して上方へ向いて回転する。すなわち、フロント部１が跳ね上げられるならば、繋ぎ部材７は１８０°回転して反対向きになり、ワタリ２の左側に配置される。
【００２１】
繋ぎ部材７の他方端に設けた軸受け１０，１０にはフロント部１の背面１７から延びた軸受け１８，１８が軸１９を介して連結している。すなわち、両軸受け１０，１０の間に上記両軸受け１８，１８が嵌り、軸受け１０，１０に設けた軸穴１２，１２、及び軸受け１８，１８の軸穴に軸１９が挿入されてフロント部１は軸受け１０，１０に連結される。  そして、軸１９にはコイルバネ２０が取付けられ、該繋ぎ部材７の平面に対して垂直に起立しているフロント部１は繋ぎ部材７と平行になるように回転するバネ力が付勢される。
【００２２】
ところで、図３に示しているように、軸１５に取付けたコイルバネ１６は該軸１５を中心として繋ぎ部材７が紙面に対して上方へ回転させようとするバネ力が付勢し、一方繋ぎ部材７の他方端では軸１９に取付けたコイルバネ２０は繋ぎ部材７に対して垂直に起立しているフロント部１が倒れて平行になるようにバネ力が付勢されている。
したがって、垂直に起立しているフロント部１は繋ぎ部材７と平行になるように倒れて右方向へ延び、この状態でフロント部１は繋ぎ部材７と共に軸１５を中心として１８０°回転し、全体が裏返しになってワタリ２の左側に回転移動する。
【００２３】
ただし、図３は繋ぎ部材７の底面（裏面）から見た状態であり、図１の（ａ）に示す上面から見た場合には、繋ぎ部材７はワタリ２の背面１３から水平に延び、繋ぎ部材７の先端に取り付けられたフロント部１は該繋ぎ部材７の先端から下方へ向いて下側に配置されている。
そこで、フロント部１を跳ね上げる場合には、繋ぎ部材７は軸１５を中心として回転することでワタリ２の下側から正面側へ延びる。そして、フロント部１は繋ぎ部材７の先端から正面側へ水平に延び、フロント部１はその上面が正面と成っている。
【００２４】
このように両軸１５、１９に取付けているコイルバネ１６，２０のバネ力によって繋ぎ部材７及びフロント部１は回転しようとするが、フロント部１を下ろした場合にこの回転を阻止してフロント部１が所定の位置に静止するようにしている。
ワタリ２の背面１３から上記繋ぎ部材７を挟んで２本の脚５，５が背後に水平に延び、途中へ折れ曲がって下方へ延びている。フロント部１の中央部に設けている連結部材２１が脚５，５の水平部と垂直部のコーナー部に係止することが出来る。
【００２５】
図４は連結部材２１が脚５のコーナー部に係止している断面拡大図を表している。同図は図１の（ｃ）における中央連結部での断面拡大図であり、鼻当てパット６を取付ける脚５はワタリ２の背面１３から水平に延びる水平部２２と途中で屈曲して下方へ垂直に延びる垂直部２３を有し、水平部２２と垂直部２３とのコーナーにはコーナー部２４を形成している。
ここで、垂直部２３はワタリ側（正面側）へ僅かに傾斜していて、コーナー部２４に係止した連結部材２１には脚５の垂直部２３が撓み変形してバネ力が働き、両コイルバネ１６，２０のバネ力の作用で該コーナー部２４から離脱しないように成っている。
【００２６】
図５はフロント部１が跳ね上げられた場合の側面図を表している。同図に示すように、フロント部１が下された状態ではワタリ２の背後に位置して顔正面に近接した状態となり、そしてフロント部１が跳ね上がった状態では繋ぎ部材７はワタリ２の正面側へ延び、フロント部１はワタリ２から間隔をおいてほぼ水平に配置される。したがって、跳ね上がったフロント部１が視界に入ることはない。
【符号の説明】
【００２７】
１  フロント部
２  ワタリ
３  ツル
４  蝶番
５  脚
６  鼻当てパット
７  繋ぎ部材
８  箱足
９  軸受け
10  軸受け
11  基板
12  軸穴
13  背面
14  軸受け
15  軸
16  コイルバネ
17  背面
18  軸受け
19  軸
20  コイルバネ
21  連結部材
22  水平部
23  垂直部
24  コーナー部
25  軸穴
【図１】
2019120819.tif 000003
【図２】
2019120819.tif 000004
【図３】
2019120819.tif 000005
【図４】
2019120819.tif 000006
【図５】
2019120819.tif 000007
【図６】
2019120819.tif 000008
【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
フロント部はワタリに取付けられて、必要に応じて上方へ跳ね上げることが出来る跳ね上げ式メガネフレームにおいて、上記ワタリには繋ぎ部材が軸を介して回転出来るように連結され、繋ぎ部材の先端にはフロント部が別の軸を介して回転出来るように連結し、フロント部が跳ね上げられる場合には上記繋ぎ部材は軸を中心として回転してほぼ水平に正面側へ延びると共にフロント部は繋ぎ部材の先端に設けた別の軸を中心として回転することでほぼ水平となり、逆にフロント部を下ろす場合には上記繋ぎ部材は回転して背後へほぼ水平となり、フロント部は別の軸を中心として回転することで下方へ延びて顔の正面に近接して配置され、そして上記両軸にはフロント部を跳ね上げる方向にバネ力を付勢し、フロント部が下って顔正面に位置したところで静止するように係止手段を設けたことを特徴とする跳ね上げ式メガネフレーム。
【請求項２】
上記両軸にコイルバネを取付けた請求項１記載の跳ね上げ式メガネフレーム。
【請求項３】
上記係止手段として、ワタリの背面から背後に向いて水平に延びる水平部と、該水平部の途中で屈曲して下方へ延びる垂直部を有して先端に鼻当てパットを取付けた脚を設け、フロント部が下りた場合に、上記水平部と垂直部のコーナー部にフロント部中央に設けた連結部材を係止出来るようにした請求項１、又は請求項２記載の跳ね上げ式メガネフレーム。